(57)【特許請求の範囲】
【請求項１】
試験槽内で試料に塩を付着させる腐食試験において、
試験槽内に設置され試料を載置する試料枠と、
金属板に温度センサを付設し試料表面に付着した塩の影響による温度の変化を検知する試料表面温度センサと、
前記試験槽内の湿度を検出する湿度検出手段と、
前記試験槽内の湿度を調整する湿度調整機構と、
前記試験槽内の温度を調整する温度調整機構と、
制御部とからなり、
異なる粗さの表面を有する金属板から構成される複数の前記試料表面温度センサを備え、
試験を実施する際に、
その試験対象の試料と同じ粗さの表面を有する金属板から構成される前記試料表面温度センサを選択して前記試料と並べて前記試料枠に載置し、
前記制御部によって
前記湿度検出手段により検出された湿度の値が設定した試験条件の値となるように前記湿度調整機構を制御するとともに、
前記試料表面温度センサの値が設定した試験条件の値となるように前記温度調整機構を制御することを特徴とする腐食試験機。
【発明の詳細な説明】
【技術分野】
【０００１】
この発明は試料表面温度センサ及び該センサを用いた腐食試験機に係り、特に、試料表面の温度を正確に把握する温度センサ及び、該温度センサを用いて試料に付着した塩の影響を受けることなく試料表面温度を一定にした腐食試験を実施する腐食試験機に関する。
【背景技術】
【０００２】
金属材料の表面処理や腐食性を評価するための手段として、腐食試験がある。腐食試験には、塩水噴霧試験や塩水噴霧・湿潤・乾燥等の試験条件を組み合わせた複合サイクル試験等があり、これらの腐食試験を行う腐食試験機も数多く開発されている。
この腐食試験機には、試験槽内に蒸気を導入する第一・第二の湿度発生器と、試験槽の壁に水をスプレーして試験槽内の空気を冷却する手段と、試験槽内の空気を温度調整する循環風路とによって、乾燥試験から湿潤試験に移行する際に、一定時間で試験槽内の雰囲気温度を短時間で降下させると同時に湿度を上昇させるものがある。（特許文献１）
また、試験槽を上下に２分割し、上方のランプ室に対して下方の試験室を仕切板で仕切った状態で試験室内の試料に酸性雨溶液をスプレーし、酸性雨溶液スプレー中はランプ室を光源の輻射熱とヒータで高温に維持し、スプレー停止と同時に仕切板を開きランプ室の調温空気を試験室に導入することで、短時間で人工酸性雨溶液による濡れを乾燥できるようにし、酸性雨による腐食を促進試験できるようにしたものがある。（特許文献２）
また、腐食試験のように自然環境に対応させ、人工的に劣化を促進させて試料の品質を評価する手段として耐候試験がある。耐候試験は、人工光源から試料に光を当てて試料の耐候性を調べるもので、光源からの輻射熱により、試験槽内の温度と試料表面温度が異なることから、試料表面温度を代表する温度を測定するブラックパネル温度計を試料と同等の位置に設けている。(特許文献３)
この輻射熱の影響を調べるという考えから、光照射試験を組み合わせた複合サイクル試験機において、試料面温度を測定して試験する劣化促進試験方法がある。(特許文献４)
また、試料を高温に加熱するような試験では、試料の温度を測定するものもある。(特許文献５)
【先行技術文献】
【特許文献】
【０００３】
【特許文献１】特開２００５−３７２１６号公報
【特許文献２】特開平７−２００３６号公報
【特許文献３】特開２００２−１９５９３６号公報
【特許文献４】特開平５−３２２７４１号公報
【特許文献５】特開２００７−２１２３２０号公報
【発明の概要】
【発明が解決しようとする課題】
【０００４】
従来の腐食試験において、試験時の温度制御は、試験槽内の雰囲気温度のみを試験槽内の温度センサにより測定し、その値を基に行っていた。また、腐食試験において光照射を行う試験や、試料を高温に加熱する試験のような特殊な試験を行わない場合は、試料表面温度と試験槽内の雰囲気温度に差異があるという考えはなく、試料表面温度は、試験槽内の雰囲気温度と同じであるという認識で試験が行われていた。
【０００５】
しかしながら、腐食試験では、試験中に試料表面に付着した塩の影響によって、実際の試料表面温度と試験槽内の雰囲気温度との間に差が出てしまうという問題がある。このように、試料表面の温度が試験槽内の雰囲気温度と異なるという現象は、試験中に試料表面に付着した塩及び塩水が状態変化（凝縮替熱及び蒸発替熱）するために生じる。
【０００６】
このため、試験槽内の雰囲気温度のみを測定して温度制御を行っていた従来の腐食試験では、試料表面の温度が試料に付着した塩の影響を受けて変化することを検知できていなかった。このため、試験槽内の雰囲気温度と試料表面の温度との温度差を測定することも出来なかった。また、試料表面の温度が試験槽内の雰囲気温度と異なっているにもかかわらず、試験槽内の雰囲気温度のみで温度制御を行うことになり、腐食試験の再現性が悪くなるという問題があった。
【０００７】
この発明は、この欠点を解消し、試料表面温度センサを用いて試料表面の温度を正確に把握でき、試料に付着した塩の影響を受けることなく試料表面の温度を一定にした腐食試験を実施でき、試験の再現性を向上することができる腐食試験機を実現することを目的とする。
【課題を解決するための手段】
【０００８】
この発明の試料表面温度センサは、試験槽内で試料に塩を付着させる腐食試験において、試料と同等の位置に配した金属板に温度センサを付設し、前記金属板の表面温度を測定することを特徴とする。
【０００９】
また、この発明の前記試料表面温度センサは、前記金属板が前記試料と同じ粗さの表面を有し、前記温度センサ部分が防水防熱材で覆われていることを特徴とする。
【００１０】
また、この発明の前記試料表面温度センサは、前記金属板の局部的な温度ではなく温度平均値を測定可能な温度センサによって構成されることを特徴とする。
【００１１】
また、この発明の腐食試験機は、上述の試料表面温度センサと、試験槽内に設置され試料及び前記試料表面温度センサを載置する試料枠と、前記試験槽内の湿度を検出する湿度検出手段と、前記試験槽内の湿度を調整する湿度調整機構と、前記試料表面の温度を調整する温度調整機構と、前記湿度検出手段により検出された湿度の値が設定した試験条件の値となるように前記湿度調整機構を制御し、前記試料表面温度センサの値が設定した試験条件の値となるように前記温度調整機構を制御する制御部とからなることを特徴とする。
【発明の効果】
【００１２】
この発明の試料表面温度センサを用いることで、腐食試験中に試験槽内の雰囲気温度だけでなく、試料表面の温度を把握することができる。
これにより、この発明の腐食試験機は、湿度検出手段によって求められた試験槽内の湿度の測定値と試料表面温度センサの測定値とをもとに温湿度制御を行うので、サイクル試験を行っている際に、試料表面に付着する塩の量が違っても各試験の温湿度条件によって、同じ試料表面温度で試験でき、試験の再現性が良くなる。
【図面の簡単な説明】
【００１３】
【図１】試料表面温度センサの斜視図である。（実施例）
【図２】腐食試験機のシステム構成図である。（実施例）
【発明を実施するための形態】
【００１４】
以下図面に基づいて、この発明の実施例を説明する。
【実施例】
【００１５】
図１及び図２は、この発明の実施例を示すものである。図１において、試料表面温度センサ１は、金属板２と温度センサ３とによって構成される。金属板２は、試料１１と同じ粗さの表面４を有している。温度センサ３は、金属板２の裏面５に密着配置されて防水防熱材６で覆われ、金属板２の局部的な温度でなく温度平均値を測定可能である。試料表面温度センサ１は、試料枠１０に載せられた試料１１と近接して並べることができるように、試料枠１０の任意の位置に載せることができる。試料表面温度センサ１は、試料１１と近接して設置され、試料１１と同じ粗さの表面４を有する金属板２の温度平均値を温度センサ３で測定し、試料表面温度として出力する。
【００１６】
図２において、７は腐食試験機である。腐食試験機７は、試験槽８と、試験槽８の上部を閉鎖する蓋体９とからなり、試験槽８内には、試料枠１０を設置している。試料枠１０には、任意の位置に試料１１を載せることができる。
【００１７】
腐食試験機７は、試験槽８内に塩水を噴霧する塩水噴霧機構１２を備えている。塩水噴霧機構１２は、試験槽８内の試料枠１０よりも下部に溶液溜め部３１を配置し、溶液溜め部３１の上部に試料枠１０を挿通して突出される噴霧塔１３を立設している。噴霧塔１３は、内部に噴霧ノズル１４を備え、試験槽８内の上部に達する上端に噴霧口１５を備えている。塩水噴霧機構１２は、溶液溜め部３１の塩水を噴霧ノズル１４で噴霧塔１３内に噴霧して塩水ミストを生成し、生成した塩水ミストを噴霧塔１３上端の噴霧口１５から試験槽８内に自然落下させ、試料枠１０に載せた試料１１に接触させる。
【００１８】
また、腐食試験機７は、試験槽８内の湿度を調整する湿度調整機構として、加湿器１６を備えている。加湿器１６は、試験槽８の外部に設置した加湿器本体１７を試験槽８下部に接続している。加湿器本体１７内には、水を加熱して蒸気を発生するヒータ１８を備えている。加湿器１６は、ヒータ１８によって発生した加湿器本体１７内の蒸気を試験槽８に供給し、試験槽８内の空気を加湿する。
【００１９】
さらに、腐食試験機７は、試験槽８内の雰囲気温度を調整する温度調整機構として、加熱器１９を備えている。加熱器１９は、試験槽８の外部に上下方向に延びる加熱器本体２０を設置し、加熱器本体２０の下部を試験槽８内の試料枠１０より下部に接続するとともに上部を試験槽８内の試料枠１０より上部に接続している。加熱器本体２０内には、空気を加熱するヒータ２１と加熱した空気を送風するファン２２とを備えている。ファン２２は、ファンモータ２３により駆動される。加熱器１９は、試験槽８下方の空気を加熱器本体２０内に導入してヒータ２１で加熱し、ファン２２で試験槽８上方に送出する。
【００２０】
腐食試験機７は、試験槽８内の乾球温度を測定する乾球温度センサ２４を備え、試験槽８内の湿球温度を測定する湿球温度センサ２５を備えている。腐食試験機７は、乾球温度センサ２４及び湿球温度センサ２５の付着物を洗浄する洗浄ノズル２６を備えている。洗浄ノズル２６は、図示しない洗浄液容器から送られる洗浄液を噴射し、乾球温度センサ２４及び湿球温度センサ２５を洗浄する。
【００２１】
また、腐食試験機７は、試料表面温度センサ１を備えている。腐食試験機７は、試料表面温度センサ１について、試験を実施する試料１１と同じ粗さの表面４を任意に選択できるように、異なる粗さの表面４を有する金属板２から構成される複数の試料表面温度センサ１を備えている。
【００２２】
腐食試験機７は、加湿器１６及び加熱器１９を制御する制御部２７を備えている。制御部２７には、前記加湿器１６のヒータ１８を加湿器用電力調整器２８を介して接続し、前記加熱器１９のヒータ２１を加熱器用電力調整器２９を介して接続し、前記加熱器１９のファンモータ２３を接続し、前記乾球温度センサ２４及び湿球温度センサ２５を湿度変換器３０を介して接続している。
【００２３】
制御部２７は、乾球温度センサ２４及び湿球温度センサ２５が測定した乾球温度及び湿球温度の測定値を湿度変換器３０により湿度に変換して得て、得られた湿度をもとに試験槽８内の湿度が設定した値となるように加湿器用電力調整器２８で加湿器１６のヒータ１８を制御する。また、制御部２７は、試料表面温度センサ１が測定した値をもとに試料１１の表面温度が設定した値となるように加熱器用電力調整器２９で加熱器１９のヒータ２１を制御する。
【００２４】
次に作用を説明する。
腐食試験機７によって試験槽８内の試料１１のサイクル試験、例えば塩水噴霧試験、乾燥試験、湿潤試験を実施する場合は、試験を実施する試料１１と同じ粗さの表面４を有する金属板２から構成される試料表面温度センサ１を選択し、選択した試料表面温度センサ１を試料１１と並べて試料枠１０に載せる。
【００２５】
腐食試験機７は、試料１１を異なる試験条件でのサイクル試験の実施時に、制御部２７によって、乾球温度センサ２４で試験槽８内の雰囲気温度を測定し、乾球温度センサ２４及び湿球温度センサ２５の測定値をもとに湿度変換機３０により湿度算出し試験槽８内の湿度が設定した値となるように加湿器１６を制御する。同時に、腐食試験機７は、制御部２７によって、試料１１と並べた試料表面温度センサ１の金属板２の温度平均値を測定し、測定した値が設定値となるように加熱器１９を制御する。
【００２６】
このように、腐食試験機７は、サイクル試験の実施時に、試験槽８内の雰囲気温度を乾球温度センサ２４で測定し、更に試料１１と同じ粗さの表面４を有する金属板２の温度平均値を試料表面温度センサ１で測定しているので、試験中に試験槽８内の雰囲気温度だけでなく、試料表面の温度を把握することができる。
【００２７】
これにより、この腐食試験機７は、乾球温度センサ２４及び湿球温度センサ２５で測定した乾球温度及び湿球温度と試料表面温度センサ１で測定した温度平均値とによって試験槽８内の温湿度制御を行うので、塩水噴霧試験、乾燥試験、湿潤試験のサイクル試験を行っている際に、試料表面に付着する塩の量が違っても各試験の温湿度条件によって、同じ試料表面温度で試験でき、試験の再現性が良くなる。
【００２８】
また、この腐食試験機７は、試験槽８内の雰囲気温度を制御して、試験を行うことも可能である。
【産業上の利用可能性】
【００２９】
この発明は、サイクル試験を行っている際に、試料表面に付着する塩の量が違っても各試験の温湿度条件によって、同じ試料表面温度で試験でき、試験の再現性が良くなるものであり、サイクル試験を行う腐食試験だけでなく、試験を単独で行う腐食試験にも適用することができる。
【符号の説明】
【００３０】
１  試料表面温度センサ
２  金属板
３  温度センサ
４  表面
５  裏面
６  防水防熱材
７  腐食試験機
８  試験槽
９  蓋体
１０  試料枠
１１  試料
１２  塩水噴霧機構
１３  噴霧塔
１４  噴霧ノズル
１５  噴霧口
１６  加湿器
１７  加湿器本体
１８  ヒータ
１９  加熱器
２０  加熱器本体
２１  ヒータ
２２  ファン
２３  ファンモータ
２４  乾球温度センサ
２５  湿球温度センサ
２６  洗浄ノズル
２７  制御部
２８  加湿器用電力調整器
２９  加熱器用電力調整器
３０  湿度変換器
３１  溶液溜め部
【図１】
0005497720.tif 000002
【図２】
0005497720.tif 000003